(57)【要約】【課題】  使用者がスチールワイヤを利用して物品、ブライド等の巻取り位置決め及び釈放を行なうのに便利なスチールワイヤ巻取器の提供。【解決手段】  ベース内に回転軸が設けられ、且つ回転軸がスチールワイヤ巻取りに供され、回転軸の一側にラチェットホイールが設けられ、並びにレバーを利用してラチェットホイールに対して逆止めを行ない、スチールワイヤ引き出しの位置決めを制御し、回転軸の別側がベース外に延伸されて嵌合部が設けられ、並びにハンドルと結合され、且つ該ベースに窓が設けられ、該スチールワイヤの引き出しと巻き取りに供される。【選択図】        図１
0003103303.tif 000002
【実用新案登録請求の範囲】
【請求項１】
ベース、カバー、回転軸、スチールワイヤ、レバー、及びハンドルで組成されたスチールワイヤ巻取器であり、
該ベースは、中空収容室を具え、その一側にカバーと嵌合される孔縁を具え、別側に軸孔を具え、別に該ベースの底部より接合面が延伸され、該接合面にボルトによる固定に供される穿孔が設けられ、該ベースの側縁に貫通孔と窓が設けられ、
該カバーはベースの孔縁に嵌合されると共にボルトで固定され、その中央に軸孔を具え、その内側に位置決め柱が設けられ、該位置決め柱の前後に上限位柱と下限位柱が設けられ、且つ別側に凸柱が設けられ、
該回転軸は、該ベースの中空収容室内に収容され、その中段は巻取部とされ、その一側に円盤が設けられ、該円盤の外側にラチェットホイールと軸端があり、巻取部の別側に軸端より小さい軸端が設けられ、その前端が嵌合部とされ、且つ該嵌合部より巻取部までスチールワイヤの固定端の嵌入位置決めに供される縦向溝が設けられ、
該ハンドルは、その中央に嵌合孔を具え、該ハンドルの側縁にネジ孔が設けられ、ボルトのねじ込みに供され、
該レバーは、その前端が斜面とされ、且つ斜面に近い側縁に凸柱が設けられて弾性部品の一端が係止され、凸柱の隣側に位置決め孔が設けられたことを特徴とする、スチールワイヤ巻取器。
【請求項２】
請求項１記載のスチールワイヤ巻取器において、スチールワイヤの自由端に位置決めシートが接続されたことを特徴とする、スチールワイヤ巻取器。
【考案の詳細な説明】
【技術分野】
【０００１】
本考案は一種のスチールワイヤ巻取器に係り、特にスチールワイヤを利用して器物、ブラインドを架設するのに便利であるスチールワイヤ巻取器に関する。
【背景技術】
【０００２】
家庭生活で、スチールワイヤを利用して物品を掛設（或いは架設）する場合及び使用範囲は十分に広いが、架設の両端点間の距離は完全に同じではなく、このため生産者が通用規格で製造して各種の場面の架設の必要に対応することが難しく、また使用者はスチールワイヤを買って架設時に固定長で位置決めするが、一旦架設した後にスチールワイヤが弛んだ時や架設点を常時変換しなければならない時（臨時性の架設の場合等）は、スチールワイヤの長さの調整が不能であったり不便であったりした。
【考案の開示】
【考案が解決しようとする課題】
【０００３】
本考案の目的は、一種のスチールワイヤ巻取器を提供することにあり、それは使用者がスチールワイヤを利用して架設した物品、ブラインド等を巻取って位置決めするのにも、釈放するのにも便利であるものとする。
【課題を解決するための手段】
【０００４】
請求項１の考案は、ベース、カバー、回転軸、スチールワイヤ、レバー、及びハンドルで組成されたスチールワイヤ巻取器であり、
該ベースは、中空収容室を具え、その一側にカバーと嵌合される孔縁を具え、別側に軸孔を具え、別に該ベースの底部より接合面が延伸され、該接合面にボルトによる固定に供される穿孔が設けられ、該ベースの側縁に貫通孔と窓が設けられ、
該カバーはベースの孔縁に嵌合されると共にボルトで固定され、その中央に軸孔を具え、その内側に位置決め柱が設けられ、該位置決め柱の前後に上限位柱と下限位柱が設けられ、且つ別側に凸柱が設けられ、
該回転軸は、該ベースの中空収容室内に収容され、その中段は巻取部とされ、その一側に円盤が設けられ、該円盤の外側にラチェットホイールと軸端があり、巻取部の別側に軸端より小さい軸端が設けられ、その前端が嵌合部とされ、且つ該嵌合部より巻取部までスチールワイヤの固定端の嵌入位置決めに供される縦向溝が設けられ、
該ハンドルは、その中央に嵌合孔を具え、該ハンドルの側縁にネジ孔が設けられ、ボルトのねじ込みに供され、
該レバーは、その前端が斜面とされ、且つ斜面に近い側縁に凸柱が設けられて弾性部品の一端が係止され、凸柱の隣側に位置決め孔が設けられたことを特徴とする、スチールワイヤ巻取器としている。
請求項２の考案は、請求項１記載のスチールワイヤ巻取器において、スチールワイヤの自由端に位置決めシートが接続されたことを特徴とする、スチールワイヤ巻取器としている。
【考案の効果】
【０００５】
本考案のスチールワイヤ巻取器は、使用者がスチールワイヤを利用して架設した物品、ブラインド等を巻取って位置決めするのにも、釈放するのにも便利である。
【考案を実施するための最良の形態】
【０００６】
本考案は、ベース内に回転軸が設けられ、且つ回転軸がスチールワイヤ巻取りに供され、回転軸の一側にラチェットホイールが設けられ、並びにレバーを利用してラチェットホイールに対して逆止めを行ない、スチールワイヤ引き出しの位置決めを制御し、回転軸の別側がベース外に延伸されて嵌合部が設けられ、並びにハンドルと結合され、且つ該ベースに窓が設けられ、該スチールワイヤの引き出しと巻き取りに供される。本考案は以上の部品の組成により、使用者がスチールワイヤを利用して物品、ブラインド等の巻取り位置決め及び釈放を行なうのに便利である。
【実施例１】
【０００７】
図１、２、３に示されるように、本考案のスチールワイヤ巻取器１は、ベース１１、カバー１２、回転軸１３、スチールワイヤ１４、レバー１６、位置決めシート１７、及びハンドル１５で組成されている。
【０００８】
該ベース１１は、中空収容室１１０を具え、その一側にカバー１２と嵌合される孔縁１１３を具え、別側に軸孔１１４を具え、別に該ベース１１の底部より接合面１１１が延伸され、該接合面１１１にボルトＡによる固定に供される穿孔１１２が設けられ、該ベース１１の側縁に貫通孔１１６と窓１１５が設けられている。
【０００９】
該カバー１２はベース１１の孔縁１１３に嵌合されると共にボルトＡで固定され、その中央に軸孔１２１を具え、その内側に位置決め柱１２３が設けられ、該位置決め柱１２３の前後に上限位柱１２４と下限位柱１２５が設けられ、且つ別側に凸柱１２２が設けられている。
【００１０】
該回転軸１３は、該ベース１１の中空収容室１１０内に収容され、その中段は巻取部１３１とされ、その一側に円盤１３５が設けられ、該円盤１３５の外側にラチェットホイール１３４と軸端１３３があり、巻取部１３１の別側に軸端１３３より小さい軸端１３２が設けられ、その前端が嵌合部１３６とされ、且つ該嵌合部１３６より巻取部１３１まで縦向溝１３７が設けられ、スチールワイヤ１４の固定端１４１の嵌入位置決めに供される。
【００１１】
該ハンドル１５は、その中央に嵌合孔１５１を具え、該ハンドル１５の側縁にネジ孔１５２が設けられ、ボルト１５３のねじ込みに供される。
【００１２】
該レバー１６は、その前端が斜面１６１とされ、且つ斜面１６１に近い側縁に凸柱１６２が設けられて弾性部品１８の一端が係止され、凸柱１６２の隣側に位置決め孔１６３が設けられている。
【００１３】
該位置決めシート１７は、スチールワイヤ１４の自由端１４２に接続される座体であり、並びにスチールワイヤ１４をベース１１と位置決めシート１７の間に架設する。
【００１４】
組合せ時には、まずスチールワイヤ１４の固定端１４１を外から窓１１５を通して中空収容室１１０内に挿入し、さらにその固定端１４１を回転軸１３の巻取部１３１の縦向溝１３７内に嵌入させ、並びに回転軸１３の小径の軸端１３２をベース１１の軸孔１１４内に挿入し、嵌合部１３６を軸孔１１４外に突出させ、さらにハンドル１５の嵌合孔１５１とそれを結合させ、並びにボルト１５３をネジ孔１５２にねじ込み固定し、カバー１２をベース１１の孔縁１１３に嵌合して螺子止めし、並びに回転軸１３別側の軸端１３３をカバー１２の軸孔１２１と嵌合させる。レバー１６をベース１１の貫通孔１１６に通し、その前端の斜面１６１でラチェットホイール１３４を係止させ（図３、４参照）、その後段をベース１１外側に突出させる。該レバー１６の位置決め孔１６３はカバー１２の位置決め柱１２３に位置決めし、並びに上限位柱１２４と下限位柱１２５の間に制限し、且つ弾性部品１８の一端をレバー１６の凸柱１６２に係止し、別端をカバー１２の凸柱１２２に係止し、且つ常態で該レバー１６の斜面１６１を押圧してラチェットホイール１３４を係止させ、こうして逆止めを形成する。以上の部品の組合せにより、本考案は架設時にまずボルトＡでベース１１を第１固定体２１に固定し、さらにスチールワイヤ１４の自由端１４２を窓１１５より外に引き出す。ラチェットホイール１３４はレバー１６の常態での単方向係止を受けるため、スチールワイヤ１４は単方向に外向きに引き出される。ただし弾性部品１８は弾力でレバー１６を押圧してラチェットホイール１３４の逆回転を阻止するため、スチールワイヤ１４は内向きに巻き取られず、適当な長さに引き出されると、位置決めシート１７が第２固定体２２に位置決めされ、この時、調整したいかスチールワイヤ１４の長さを適当な直線及び緊張度に維持させて物品を掛設できるようにするときは、手指でレバー１６を駆動し、その前端の斜面１６１をラチェットホイール１３４より離脱させ、並びにハンドル１５を回して回転軸１３にスチールワイヤ１４を巻き取らせることができ、且つスチールワイヤ１４が緊縮して理想な掛設状態に達したら、レバー１６を開放してその斜面１６１に再度ラチェットホイール１３４を係止させると、スチールワイヤ１４の逸脱を防止させることができる（スチールワイヤ１４の巻取りもまたこの操作方式による）。
【００１５】
図５に示されるのは本考案の具体的実施例であり、本考案のスチールワイヤ巻取器１がブラインド３の架設に供された実施例である。このほか、物干し場、室内絵画掛設、照明ランプの掛設等のいずれにも本考案のスチールワイヤ巻取器を利用して、長さを調整することができ、架設の必要に供する。
【００１６】
総合すると、本考案のスチールワイヤ巻取器は、巻取り位置決め、釈放調整等の便利性を具え、産業界には無いものであり、新規性と実用性を具えている。
【図面の簡単な説明】
【００１７】
【図１】本考案の分解斜視図である。
【図２】本考案の架設断面表示図である。
【図３】本考案の動作断面図である。
【図４】図３のＩ−Ｉ断面図である。
【図５】本考案の具体的実施例図である。
【符号の説明】
【００１８】
１  スチールワイヤ巻取器
１１  ベース                  １１０  中空収容室
１１１  接合面                １１３  孔縁
１１４  軸孔                  １１５  窓
１１６  貫通孔
１２  カバー                  １２１  軸孔
１２２  凸柱                  １２３  位置決め柱
１２４  上限位柱              １２５  下限位柱
１３  回転軸                  １３１  巻取部
１３２、１３３  軸端
１３４  ラチェットホイール    １３５  円盤
１３６  嵌合部                １３７  縦向溝
１４  スチールワイヤ          １４１  固定端
１４２  自由端
１５  ハンドル                １５１  嵌合孔
１５２  ネジ孔                １５３  ボルト
１６  レバー                  １６１  斜面
１６２  凸柱                  １６３  位置決め孔
１７  位置決めシート          １８  弾性部品
２１  第１固定体              ２２  第２固定体
３  ブラインド                Ａ  ボルト
【図１】
0003103303.tif 000003
【図２】
0003103303.tif 000004
【図３】
0003103303.tif 000005
【図４】
0003103303.tif 000006
【図５】
0003103303.tif 000007